【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
有線および無線ネットワークを介してデータの送受信を行うネットワーク通信処理手段と、
該ネットワークを介して接続されるコンテンツ送信装置にコンテンツ送信要求を発行して送るとともに、コンテンツ送信装置からのコンテンツを該ネットワーク通信手段から受け取るコンテンツ受信処理手段と、
該コンテンツ送信装置に認証要求を発行して送るとともに、該コンテンツ送信装置からの認証要求に対する認証の判定を行う認証手段と、
該認証手段で認証処理を実行して得られる情報を元に鍵情報を生成し、該鍵情報により該コンテンツ送信装置から受信したコンテンツの復号化処理を行う復号化手段と、
該コンテンツ送信装置が有線および無線ネットワークに接続されているか否かをチェックするネットワーク接続確認手段と、を有し、
該コンテンツ送信装置が有線および無線ネットワークの両方に接続可能な場合には、有線ネットワーク上で該コンテンツ送信装置に対して認証要求を発行し、該コンテンツ送信装置から送信された時間確認要求に対して応答し、該コンテンツ送信装置において該応答までの時間を計測され、正常に認証が成功した場合には有線または無線ネットワーク上でコンテンツ送信要求を発行することを特徴とするコンテンツ受信装置。
【請求項２】
ネットワークを介してデータの送受信を行うネットワーク通信処理手段と、
該ネットワークを介して接続されるコンテンツ送信装置にコンテンツ送信要求を発行して送るとともに、コンテンツ送信装置からのコンテンツを該ネットワーク通信手段から受け取るコンテンツ受信処理手段と、
該コンテンツ送信装置に認証要求を発行して送るとともに、該コンテンツ送信装置からの認証要求に対する認証の判定を行う認証手段と、
該認証手段で認証処理を実行して得られる情報を元に鍵情報を生成し、該鍵情報により該コンテンツ送信装置から受信したコンテンツの復号化処理を行う復号化手段と、
コンテンツ転送状態を監視し、コンテンツ転送が行われていない状態を検知する状態検知手段と、を有し、
該ネットワーク上でコンテンツ転送が行われていない状態を検知した場合に、ネットワーク上に存在する該コンテンツ送信装置に対して認証要求を発行し、該コンテンツ送信装置から送信された時間確認要求に対して応答し、該コンテンツ送信装置において該応答までの時間を計測されることを特徴とするコンテンツ受信装置。
【請求項３】
ネットワークを介してデータの送受信を行うネットワーク通信処理手段と、
該ネットワークを介して接続されるコンテンツ受信装置に送信するコンテンツを該ネットワーク通信手段に供給する送信コンテンツ生成手段と、
該コンテンツ受信装置からの認証要求を受け取って該認証要求に対する認証の判定を行うと共に、該コンテンツ受信装置に対して自身の認証要求を発行する認証手段と、
該認証手段で認証処理を実行して得られる情報を元に鍵情報を生成し、該鍵情報により該コンテンツ受信装置に送信するコンテンツの暗号化処理を行う暗号化手段と、
該コンテンツ受信装置に対して認証要求あるいは時間確認要求を送信し、該要求に対する応答を受信するまでの時間を計測するタイマー手段と、
該コンテンツ受信装置の機器情報を登録、管理する機器情報管理手段と、
コンテンツ転送状態を監視し、コンテンツ転送が行われていない状態を検知する状態検知手段と、を有し、
該機器情報管理手段は、該タイマー手段の測定結果での測定結果が所定の値を超えない時、前記コンテンツ受信装置のアドレス情報と装置製造時に予め記憶させている装置固有の機器情報とを登録し、
該ネットワーク上でコンテンツ転送が行われていない状態を検知した場合に、該登録した該コンテンツ受信装置に対して該タイマー手段による時間の計測を実行し、該測定結果に応じて該登録内容を制御することを特徴とするコンテンツ送信装置。
【請求項４】
有線および無線ネットワークに接続されるコンテンツ送信装置にコンテンツ送信要求を発行して送り、コンテンツ送信装置からのコンテンツを受け取るコンテンツ受信装置のコンテンツ受信方法において、
該コンテンツ送信装置に認証要求を発行して送るとともに、該コンテンツ送信装置からの認証要求に対する認証の判定を行うステップと、
該コンテンツ送信装置が有線および無線ネットワークに接続されているか否かをチェックするステップと、
該認証要求に対する認証の判定を行う際に得られる情報を元に鍵情報を生成し、該鍵情報により該コンテンツ送信装置から受信したコンテンツの復号化処理を行う復号化ステップと、を有し、
該コンテンツ送信装置が有線および無線ネットワークの両方に接続可能な場合には、有線ネットワーク上で該コンテンツ送信装置に対して認証要求を発行し、該コンテンツ送信装置から送信された時間確認要求に対して応答し、該コンテンツ送信装置において該応答までの時間を計測され、正常に認証が成功した場合には有線または無線ネットワーク上でコンテンツ送信要求を発行することを特徴とするコンテンツ受信装置コンテンツ受信方法。
【請求項５】
ネットワークに接続されるコンテンツ送信装置にコンテンツ送信要求を発行して送り、コンテンツ送信装置からのコンテンツを受け取るコンテンツ受信装置のコンテンツ受信方法において、
該コンテンツ送信装置に認証要求を発行して送るとともに、該コンテンツ送信装置からの認証要求に対する認証の判定を行うステップと、
コンテンツの転送状態を監視し、コンテンツ転送が行われていない状態を検知するステップと、
該認証要求に対する認証の判定を行う際に得られる情報を元に鍵情報を生成し、該鍵情報により該コンテンツ送信装置から受信したコンテンツの復号化処理を行うステップと、
を有し、
該ネットワーク上でコンテンツ転送が行われていない状態を検知した場合に、ネットワーク上に存在する該コンテンツ送信装置に対して認証要求を発行し、該コンテンツ送信装置から送信された時間確認要求に対して応答し、該コンテンツ送信装置において該応答までの時間を計測されることを特徴とするコンテンツ受信装置のコンテンツ受信方法。
【請求項６】
ネットワークに接続されるコンテンツ受信装置にコンテンツを供給するコンテンツ送信装置のコンテンツ送信方法において、
該コンテンツ受信装置からの認証要求を受け取って該認証要求に対する認証の判定を行うと共に、該コンテンツ受信装置に対して自身の認証要求を発行するステップと、
該コンテンツ受信装置に対して認証要求あるいは時間確認要求を送信し、該要求に対する応答を受信するまでの時間を計測するステップと、
該認証要求に対する認証の判定を行う際に得られる情報を元に鍵情報を生成し、該鍵情報により該コンテンツ受信装置に送信するコンテンツの暗号化処理を行う暗号化ステップと、
該コンテンツ受信装置の機器情報を登録、管理するステップと、
コンテンツの転送状態を監視し、コンテンツ転送が行われていない状態を検知するステップと、を有し、
時間を計測するステップの測定結果が所定の値を超えない時、前記コンテンツ受信装置のアドレス情報と装置製造時に予め記憶させている装置固有の機器情報とを登録し、該ネットワーク上でコンテンツ転送が行われていない状態を検知した場合に、該登録した該コンテンツ受信装置に対して該時間を計測するステップの測定結果に応じて該登録内容を制御することを特徴とするコンテンツ送信装置のコンテンツ送信方法。